(57)【要約】      （修正有）【課題】携帯端末の収納スペースに薬剤を常備し、患者の身体の変化を家人等に知らせる携帯端末を提供する。【解決手段】収納スペース付携帯端末は、収納スペース等に取り付けられ、収納カバーが開くとオン状態となる、オン・オフセンサと、このセンサが、収納カバーが開いたオン状態であることを受信するＣＰＵと、ＣＰＵから信号を受信して中継送信アンテナを介して収納スペース内に、オン状態の間、送信信号を送信する中継送信部と、収納スペース内から送信された受信信号を、オン状態の間、中継受信アンテナを介して受信して、ＣＰＵと時計に送信する中継受信部と、中継受信部から受信した時刻を、ＣＰＵが前記受信信号を受信した時刻としてＣＰＵに送信する時計と、ＣＰＵが整理した受信信号と時刻と所定の指定端末の情報を受信し、指定端末にメールを送信するメール送受信部とを含む。【選択図】図４
2010114644.tif 000002
【特許請求の範囲】
【請求項１】
表面および／または裏面に、収納スペースと、該収納スペースと合致する収納カバーを有する収納スペース付携帯端末。
【請求項２】
音声発生装置および時計を有する携帯端末であって、予め設定した時刻に該音声発生装置はアラームまたはメロディーを発信する、請求項１に記載の収納スペース付携帯端末。
【請求項３】
前記収納カバーおよび／または前記収納スペースに取り付けられ、収納カバーが開くとオン状態となる、オン・オフセンサと、
前記オン・オフセンサが、前記収納カバーが開いたオン状態であることを受信するＣＰＵ（中央処理装置）と、
前記ＣＰＵから信号を受信して中継送信アンテナを介して前記収納スペース内に、オン状態の間、送信信号を送信する中継送信部と、
前記収納スペース内から送信された受信信号を、オン状態の間、中継受信アンテナを介して受信して、前記ＣＰＵと前記時計に送信する中継受信部と、
前記中継受信部から受信した時刻を、該ＣＰＵが前記受信信号を受信した時刻として該ＣＰＵに送信する時計と、
前記ＣＰＵが整理した前記受信信号と前記時刻と所定の指定端末の情報を受信し、回線を介して該指定端末にメールを送信するメール送受信部と
を含む、収納スペース付携帯端末。
【請求項４】
請求項３に記載の収納スペースに収納された物品に貼付され、
ＩＣ送受信部とＩＣ電源部と、特定の周波数域の周波数を受信するＩＣアンテナと、ＩＣメモリを有し、
前記中継送信部が送信する前記信号中の特定の周波数域の信号を受信したＩＣアンテナは、オン状態の間、ＩＣ送受信部とＩＣ電源部に電力を供給し、ＩＣ電源部は交流電波を直列電流に変換してＩＣ内各機器を作動させ、該ＩＣ送受信部は前記ＩＣメモリから前記予め入力された情報を、前記オン状態の間、ＩＣアンテナおよび中継受信アンテナを介して前記中継受信部に送信するＩＣチップが収納された、前記収納スペース付携帯端末を用いた管理システム。
【請求項５】
前記収納スペースに収納される複数の物品ごとに、貼付されるＩＣチップの受信可能な周波数領域が異なるように設定した、請求項４に記載の管理システム。
【請求項６】
オン・オフセンサが、収納カバーが開いたオン状態であることを、ＣＰＵに送信するステップと、
中継送信部が、前記ＣＰＵから信号を受信して中継送信アンテナを介して収納スペース内に送信信号を送信するステップと、
前記収納スペースに収納された物品に貼付されたＩＣチップが特定の周波数域の信号を受信し、予めＩＣメモリに入力された情報を、ＩＣアンテナおよび中継受信アンテナを介して前記中継受信部に送信するステップと、
前記ＣＰＵが、前記中継受信部から送信された受信信号を受信するステップと、
前記受信信号を前記ＣＰＵが受信した時刻を、時計が該ＣＰＵに送信するステップと、
前記受信信号と前記時刻と所定の指定端末の情報を、所定の形式で、前記ＣＰＵがメール送受信部に送信するステップと、
前記メール送受信部が所定の形式で、前記受信信号と前記時刻を、前記所定の指定端末へ送信するステップと、
を含む管理方法。
【発明の詳細な説明】
【技術分野】
【０００１】
本発明の課題は、携帯電話等の携帯端末、より詳しくは、必需品を収納し得る収納スペースを設けた携帯端末に関する。
【背景技術】
【０００２】
近年、携帯端末（以下、「携帯電話」ともいう。）の普及は著しく、街のあちこちで携帯電話で会話、あるいはメールを送受信している姿を見かける。携帯電話の機能も多種多様で高度化しており、よほど精通していなければ、これらの機能を使いこなすのは困難である。
【０００３】
携帯電話は、時計代わりにも使用され、ポケットに入れたり携帯端末収納用ベルト等に取り付けれられたりして、常時持ち歩かれる場合が多い。しかし、携帯電話は、それ自体が携帯品であり、携帯端末中に物品を入れて持ち歩くという発想は、従来なかった。
【０００４】
特許文献１には、家庭内の必需品等にＩＣタグを取りつけ、インターネットによりこれらを管理する発明を開示している。しかし、常時持ち歩く必需品、例えば常備薬の管理を課題としたものではなく、すでに広く用いられている管理システムである。
【０００５】
【特許文献１】特開２００５−１７３９０２号公報
【発明の開示】
【発明が解決しようとする課題】
【０００６】
一方、心臓病や糖尿病、風邪等、病気を患う人は、発作等に備えて常時薬剤をポケット等に入れて持ち歩く必要がある。この際、上記患者が発作を起こしても、発作を家人等に知らせることは困難な場合が多い。
【０００７】
そこで本発明は、携帯端末を小物入れとして利用するばかりでなく、例えば携帯端末の収納スペースに薬剤を常備し、患者の身体の変化を家人等に知らせる携帯端末を提供することを目的とする。なお、携帯端末とは主として携帯電話を指すが、その他のＰＤＡ等も含むものとする。
【課題を解決するための手段】
【０００８】
本発明に係る収納スペース付携帯端末は、表面および／または裏面に、収納スペースと、該収納スペースと合致する収納カバーを有する。収納カバーおよびは収納スペースとは、収納スペース付携帯端末の裏面に配置されるが、機種によっては携帯端末の表面に設置してもよい。
【０００９】
本発明に係る収納スペース付携帯端末は、音声発生装置および時計を有する携帯端末であってよく、予め設定した時刻に時計に接続された音声発生装置は所定の音声を発信し得る。
【００１０】
本発明に係る収納スペース付携帯端末は、前記収納カバーおよび／または前記収納スペースに取り付けられ、収納カバーが開くとオン状態となる、オン・オフセンサを有する。
以下、収納カバーが開いた状態を、単に「オン状態」という。
【００１１】
前記オン・オフセンサは、前記収納カバーが開いたオン状態であることをＣＰＵ（中央処理装置）に送信し、中継送信部は、前記ＣＰＵから信号を受信して中継送信アンテナを介して前記収納スペース内に、オン状態の間、送信信号を送信する。
【００１２】
次に、前記収納スペース内から送信された受信信号は、オン状態の間、中継受信アンテナを介して中継受信部に受信され、前記ＣＰＵと前記時計に送信される。前記時計は、前記中継受信部から受信した時刻を、該ＣＰＵが前記受信信号を受信した時刻として該ＣＰＵに送信する
【００１３】
前記ＣＰＵは前記受信信号と前記時刻と所定の指定端末の情報を整理して、メール送受信部に送信し、該メール送受信部は、回線を介して該指定端末にメールを送信する。
【００１４】
本発明に係る収納スペース付携帯端末を用いた管理システムは、上記記載の収納スペースに収納された物品に貼付され、ＩＣ送受信部とＩＣ電源部と、特定の周波数域の周波数を受信するＩＣアンテナと、ＩＣメモリを有るＩＣチップを用いる。
【００１５】
前記中継送信部が送信する前記信号中の特定の周波数域の信号を受信したＩＣアンテナは、オン状態の間、ＩＣ送受信部とＩＣ電源部に電力を供給し、ＩＣ電源部は交流電波を直列電流に変換してＩＣ内各機器を作動させる。該ＩＣ送受信部は前記ＩＣメモリから前記予め入力された情報を、前記オン状態の間、ＩＣアンテナおよび中継受信アンテナを介して前記中継受信部に送信する。
【００１６】
上記管理システムにおいては、前記収納スペースに収納される複数の物品ごとに、貼付されるＩＣチップの受信可能な周波数領域が異なるように設定してもよい。このように収納スペースに収納される物品ごとに、貼付されるＩＣチップの受信可能な周波数領域が異なるように設定すると、複数に重なり合った収納スペースに収納される物品を判別することが出来る。
【００１７】
本発明に係る収納スペース付携帯端末は、前記収納スペース付携帯端末に形成されたオン・オフスイッチは、前記収納収納カバーが開かれるとオンとなり、オン状態で所定の時間が経過するとオフとなるようにしてもよい。
【００１８】
本発明に係る収納スペース付携帯端末１００を用いた管理方法は、オン・オフセンサが、収納カバーが開いたオン状態であることを、ＣＰＵに送信するステップと、中継送信部が、前記ＣＰＵから信号を受信して中継送信アンテナを介して収納スペース内に送信信号を送信するステップと、前記収納スペースに収納された物品に貼付されたＩＣチップが特定の周波数域の信号を受信し、予めＩＣメモリに入力された情報を、ＩＣアンテナおよび中継受信アンテナを介して前記中継受信部に送信するステップと、前記ＣＰＵが、前記中継受信部から送信された受信信号を受信するステップと、前記受信信号を前記ＣＰＵが受信した時刻を、時計が該ＣＰＵに送信するステップと、前記受信信号と前記時刻と所定の指定端末の情報を、所定の形式で、前記ＣＰＵがメール送受信部に送信するステップと、前記メール送受信部が所定の形式で、前記受信信号と前記時刻を、前記所定の指定端末へ送信するステップとを含む。
【発明の効果】
【００１９】
本発明の収納スペース付携帯端末は、表面および／または裏面に、収納スペースと、これと合致する収納カバーを有するため、散歩やジョギング中に、５００円玉や紙幣などの小物を収納スペース付携帯端末に入れて持ち運ぶことができる。このため、例えばジョギング中に小銭やタバコを落としたりする状況を防止することが出来る。
【００２０】
本発明の収納スペース付携帯端末は、音声発生装置、時計機能を有するので、予め設定した時刻に音声発生装置がアラームまたはメロディーを発信し、薬剤の服用時間や待ち合わせ時間等、多々の厳守時刻を知らせることが出来る。
【００２１】
本発明の収納スペース付携帯端末に設置されたオン・オフセンサは、上記収納カバーが開かれるとＣＰＵに収納カバーが開いているオン状態（以下、単に「オン状態」ともいう。）と感知させ、当該収納カバーが閉じるとオフとなるように設定する。オン状態の場合、収納スペースに収納された物品は、物品に取りつけたＩＣチップの情報を、中継機器を介して、携帯端末のＣＰＵが所定のユーザーに確実にメールにて送信することが出来る。
【００２２】
さらに、収納スペースに収納される物品ごとに、貼付されるＩＣチップの受信可能な周波数領域が異なるように設定することにより、複数の物品を収納スペースに収納しても、各物品を同時に識別することが出来る。
【発明を実施するための最良の形態】
【００２３】
以下、本発明の収納スペース付携帯端末の実施形態を、図を用いて説明するが、各図に共通の要素には同一の符号を付すものとする。
【００２４】
本発明に係る収納スペース付携帯端末１００は、図１（ａ）〜（ｃ）に示すように、表面１０２および／または裏面１０４に、収納スペース２と、これと合致する収納カバー１を有する。図１（ｂ）、（ｃ）では、収納スペース付携帯端末１００の裏面１０４に収納スペース２を設けている。
【００２５】
また、収納スペース付携帯端末１００は、通常の携帯電話と同様に、表面１０４側に画面５０、テンキー５２、音声発生装置３８等を、裏面に、本発明に係る収納スペース２と、これと合致する収納カバー１に加えて電源５４を備え、時計３６を内蔵する。収納スペース２と収納カバー１は、スライド式でもよく、図１（ｂ）、（ｃ）のように開閉溝１１６を設けて開閉式にしてもよく、開閉機能が備わればどのような機構であってもよい。
【００２６】
収納スペース２と収納カバー１は、図２に示すように、オン・オフセンサ３によりその開閉を検知される。図２においては、オン・オフセンサ３は開閉溝１１６内に設置されているが、収納カバー１に取付けてもよく、その設置位置は、収納スペース２内に収納する物品の邪魔にならない位置であれば、特に限定されない。オン・オフセンサ３は収納カバー１の開閉を感知し、この情報をＣＰＵ３０（図３参照）に送信する。オン・オフセンサ３は超音波センサや赤外線センサなどを用い得るが、収納カバー１の開閉を感知し得るセンサであれば特に限定されない。
【００２７】
本発明の収納スペース付携帯端末の本体は、図３に示すように、収納カバー１および／または収納スペース２に取り付けられ、収納カバーが開くとオン状態となる、オン・オフセンサ３とを含み、オン・オフセンサ３がオン状態であることを受信するＣＰＵ（中央処理装置）３０と、ＣＰＵ３０から信号を受信して中継送信アンテナ２２を介して収納スペース２内に送信信号を送信する中継送信部２０とを備える。
【００２８】
さらに、本発明の収納スペース付携帯端末１００は、図３のように、収納スペース２内から送信された受信信号を受信してＣＰＵ３０と時計３６に送信する中継受信部２６と、中継受信部２６から受信した時刻を、ＣＰＵ３０が受信信号を受信した時刻としてＣＰＵ３０に送信する時計３６と、ＣＰＵ３０が整理した上記受信信号と上記時刻と所定の指定端末２１０の情報を受信し、回線２００を介して当該指定端末２１０にメールを送信するメール送受信部４０とを有する。なお、収納スペース２内から送信された信号は直にＣＰＵ３０、時計３６に送信されてもよい。
【００２９】
ここで、「所定の指定端末２１０」とは、家族や友人の持つ携帯端末や、家庭や病院等に備えられたＰＣ（Personal Computer）などであり、そのアドレスは、予め収納スペース付携帯端末１００のメモリ（図示せず）に記憶されている。ＣＰＵ３０が上記受信信号と上記時刻を受信すると、上記メモリから所定の指定端末２１０のアドレスが呼び出され、メール送受信部４０に送信される。
【００３０】
次に、本発明に係る管理システムについて説明する。
【００３１】
収納スペース付携帯端末１００の収納スペース２に収納された物品を管理する場合、当該物品には、ＩＣチップ１０を貼付する。図４のように、ＩＣチップ１０は、ＩＣ送受信部１６とＩＣ電源部１４と、特定の周波数域の周波数を受信するＩＣアンテナ１２と、ＩＣメモリ１８を有する。
【００３２】
本発明に係る管理システムにおいて、収納スペース付携帯端末１００の中継送信部２０が送信する信号中の特定の周波数域の信号を受信したＩＣアンテナ１２は、ＩＣ送受信部１６とＩＣ電源部１４に電力を供給し、ＩＣ電源部１４は交流電波を直列電流に変換してＩＣ内各機器を作動させる。また、ＩＣ送受信部１６はＩＣメモリ１８から、予め入力された収納物品に関する情報を、ＩＣアンテナ１２および中継受信アンテナ２８を介して中継受信部２６に送信する。
【００３３】
ＩＣアンテナ１２が、特定の周波数域の周波数を受信することとしたのは、複数の物品を収納スペース１に収納した場合、種類・数等の異なる物品の区別をつけるためであり、物品を区別する必要がない場合は、物品ごとに周波数を変える必要はない。
【００３４】
さらに、本発明に係る管理システムは、上記受信信号をＣＰＵ３０と時計３６に送信し、ＣＰＵ３０が整理した上記受信信号と上記時刻と所定の指定端末２１０の情報をメール送受信部４０に送信し、回線２００を介して当該指定端末２１０にメールを送信する。
【００３５】
また、本発明に係る収納スペース付携帯端末を用いた物品の管理方法は、以下の手順で行う。
【００３６】
本発明に係る物品の管理方法は、
（１）オン・オフセンサ３が、収納カバー１が開いたオン状態であることを、ＣＰＵ３０に送信するステップ
（２）中継送信部２０が、ＣＰＵ３０から信号を受信して中継送信アンテナ２２を介して収納スペース２内に送信信号を送信するステップ
（３）収納スペース２に収納された物品に貼付されたＩＣチップ１０が特定の周波数域の信号を受信し、予めＩＣメモリ１８に入力された情報をＩＣアンテナ１２および中継受信アンテナ２８を介して中継受信部２６に送信するステップ
（４）ＣＰＵ３０が、オン状態の間に、中継受信部２６から送信された受信信号を受信するステップ
（５）上記受信信号をＣＰＵ３０が受信した時刻を、時計３６がＣＰＵ３０に送信するステップ
（６）オン状態の間、上記受信信号と上記時刻と所定の指定端末２１０の情報を、所定の形式で、ＣＰＵ３０がメール送受信部４０に送信するステップ
（７）メール送受信部４０が所定の形式で、上記受信信号と上記時刻を、上記所定の指定端末２１０へ送信するステップ
を含む。
【００３７】
以下実施例にて本発明の具体例を示す。
【実施例１】
【００３８】
上述のように、上記情報を含んだメールは所定の指定端末２１０へ，例えば家庭、家族、友人等に送信されるが、例えば収納物品が袋入りの錠剤の場合、上記メールは行きつけの病院に送信されてもよい。
【００３９】
収納物品が、朝、昼、夜の食後に飲む錠剤の場合、患者は収納カバー１を開いて（開けて）その時間帯に飲む錠剤を取り出す。朝、昼、夜用の錠剤には、互いに異なる周波数の電波を吸収するＩＣチップを貼付しておく。各錠剤を飲む時間を決めて音声発生装置３８が鳴るようにしてもよい。
【００４０】
収納カバー１を開くため、オン・オフセンサ３が、オン状態であることを、ＣＰＵ３０に送信する。オン状態の間、ＣＰＵ３０は中継送信部２０に特定の信号を送信して、中継送信アンテナ２２を介して収納スペース２内に送信信号を送信する。
【００４１】
最初、朝、昼、夜の食後に飲む錠剤が一個ずつ収納スペース２に収納されているとすると、ＩＣメモリ１８には吸収周波数の異なる３種類の物品（錠剤）が記憶されている。
【００４２】
患者が朝食後の錠剤を服用する場合、朝用の錠剤が一つ減るので、吸収周波数の異なる３種類の物品が２種類になる。この間オン・オフセンサ３はオン状態であるので、錠剤が３種類から２種類に減ったことが受信信号としてＣＰＵ３０に受信される。
【００４３】
患者が朝用の錠剤を収納スペース２から取り出し、収納カバー１を閉じると、オン・オフセンサ３はもはやオン状態の信号をＣＰＵ３０に送らなくなり、各ＩＣアンテナ１２も送信をストップする。
【００４４】
ＣＰＵ３０は、オン・オフセンサ３がオンとなった時刻、オン・オフセンサ３がオンの状態でＣＰＵ３０が受信した各ＩＣチップ１０からの受信信号および所定の指定端末２１０の情報を、所定の形式でメール送受信部４０に送信する。
【００４５】
メール送受信部４０は、所定の形式で、例えば図５のような形式で、得た情報を上記所定の指定端末２１０にメールで送信する。図５では、例えば５秒毎の得た情報を列挙している。
【００４６】
図５を見ると、「ＮＡＭＥ」の欄には患者の名前や愛称が、「時刻」の欄には収納カバー１を空けた時間が記載される。
【００４７】
収納カバー１を空けた時は、朝、昼、夜の３種類の薬剤が収納されているので、収納物の欄には、「朝」、「昼」、「夜」の表示がなされる。
【００４８】
次に、例えば朝、昼、夜の３種類の薬剤の袋が繋がっていて、切り取り方式だった場合、患者は一度全部の一連の袋を取り出して、朝用の薬剤の袋を切り離す。この間、収納スペース２は空となるので、収納物の欄には、「なし」と表示される。この場合、例えば中継送信部２０が送る送信波を、収納スペース２が全反射するように、反射板を収納スペース２の底に設置すればよい。全反射した電波を中継受信部２６を介してＩＣ３０が受信して、収納物の欄に「なし」が表示されるようにメール送受信部４０に送信する。あるいは、全吸収として収納物の欄に「なし」が表示されるようにしてもよい。
【００４９】
朝用錠剤を切り取った後、患者は昼、夜の２種類の薬剤の袋を収納スペース２に戻すため、収納物の欄には、「昼」、「夜」の表示がなされる。患者はその後収納カバー１を閉じるので、オン・オフセンサはオフとなり、メール送受信部４０がこれらの情報を所定の指定端末２１０に送信する。
【実施例２】
【００５０】
患者が心臓疾患を患っており、収納物品が心臓発作用の薬の場合、発作が起こると患者は収納カバー１を開いて心臓発作用の錠剤を取り出す。ＩＣチップ１０を貼付しておく。収納物品が心臓発作用の薬のみの場合、特にＩＣチップ１０を周波数で区別しなくてもよい。
【００５１】
収納カバー１を開くため、オン・オフセンサ３が、オン状態であることを、ＣＰＵ３０に送信する。この場合、緊急を要するので、ＣＰＵ３０は、オン状態であることを直にメール送受信部４０に送信してもよい。このように、ＣＰＵ３０がオン状態を直にメール送受信部４０に送信する命令は、ＩＣチップ１０内のＩＣメモリに情報として記憶させておくのが望ましい。
【００５２】
メール送受信部４０は、直ちに得た情報を上記所定の指定端末２１０にメールで送信する。メールには患者の名前等のＩＤ情報と、「心臓発作発生の恐れあり」などと書かれた記載等が指定端末２１０にメールとして届けられる。
【００５３】
メールを受け取った家族等は、すぐに患者の携帯端末に電話を入れ、患者の容態を確認する。  
【００５４】
患者が応答しない時は、患者が連絡も困難な状態かもしれないので、患者の居場所がわかる時は救急に、居場所がわからない時は患者の勤務先や警察等に連絡する等の措置をとることが可能である。
【００５５】
以上、本発明に係る収納スペース付携帯端末、その管理システム、その管理方法について説明したが、本発明は上記実施形態に限定されない。
【００５６】
収納スペース２に収納する複数の小物を特別区別する必要がない場合は、常にオン・オフセンサ３をオフ状態としてもよい。
【００５７】
あるいは、上記実施形態および実施例は収納スペース付携帯端末１００の電源がオンの場合を記載したが、オン・オフセンサ３の電源を収納スペース付携帯端末１００の電源とは別に確保してもよい。収納カバー１が開くと同時にオン状態をオン・オフセンサ３が感知し、収納スペース付携帯端末１００の電源をオンとするようにしてもよい。
【００５８】
その他、本発明は、その主旨を逸脱しない範囲で当業者の知識に基づき種々の改良、修正、変更を加えた態様で実施できるものである。
【産業上の利用可能性】
【００５９】
本発明に係る収納スペース付携帯端末は、小物等の携帯や管理等に利用される。
【図面の簡単な説明】
【００６０】
【図１】（ａ）本発明に係る収納スペース付携帯端末の平面概略図。（ｂ）本発明に係る収納スペース付携帯端末の裏面概略図。（ｃ）本発明に係る収納スペース付携帯端末の断面概略図。
【図２】本発明に係る収納スペース付携帯端末の収納スペース付近の断面概略図。
【図３】本発明に係る収納スペース付携帯端末の回路概略図。
【図４】本発明に係る収納スペース付携帯端末とＩＣチップの回路概略図。
【図５】指定端末に表示される画面を表す平面図。
【符号の説明】
【００６１】
１：収納カバー
２：収納スペース
３：オン・オフセンサ
１０：ＩＣチップ
１２：ＩＣアンテナ
１４：ＩＣ電源部
１６：ＩＣ送受信部
１８：ＩＣメモリ
２０：中継送信部
２２：中継送信アンテナ
２６：中継受信部
２８：中継受信アンテナ
３０：ＣＰＵ
３６：時計
３８：表面音声発生装置
４０：メール送受信部
５０：画面
５２：テンキー
５４：電源
１００：収納スペース付携帯端末
１０２：収納スペース付携帯端末の表面
１０４：収納スペース付携帯端末の裏面
１１６：開閉溝
２００：回線
２１０：指定端末
【図１】
2010114644.tif 000003
【図２】
2010114644.tif 000004
【図３】
2010114644.tif 000005
【図４】
2010114644.tif 000006
【図５】
2010114644.tif 000007